(57)【特許請求の範囲】
【請求項１】
電気機器に固定されたブッシング端子に嵌合構造で結合されたブッシング結合部を一端側に有する中空の第１の外殻構成体と、前記第１の外殻構成体と軸線を共有するように設けられて一端が前記第１の外殻構成体の他端に分離可能な結合構造で結合された中空の第２の外殻構成体とからなる外殻部と、前記第１の外殻構成体内に固定されたブッシング側端子導体と、前記第２の外殻構成体内に固定されたケーブル側端子導体と、前記外殻部の内部に形成されたヒューズ収納空間に配置されて一端及び他端がそれぞれ前記ブッシング側端子導体及びケーブル側端子導体に電気的に接続された限流ヒューズとを有して、前記第２の外殻構成体の他端側から該第２の外殻構成体内に導入されたケーブルの芯線が前記ケーブル側端子導体に接続され、前記ブッシング側端子導体が前記ブッシング端子の中心導体の端子部に接続されているヒューズ内蔵ケーブルコネクタにおいて、
前記第１の外殻構成体と第２の外殻構成体とに跨って配置されて両外殻構成体を結合状態に拘束する拘束具が設けられて、該拘束具が前記外殻部に対して固定され、
前記拘束具に係合して前記外殻部を前記電気機器に対して支持する支持棒が前記電気機器側に固定されていることを特徴とするヒューズ内蔵ケーブルコネクタ。
【請求項２】
電気機器に固定されたブッシング端子に嵌合構造で結合されたブッシング結合部を一端側に有する中空の第１の外殻構成体と、前記第１の外殻構成体と軸線を共有するように設けられて一端が前記第１の外殻構成体の他端に分離可能な結合構造で結合された中空の第２の外殻構成体とからなる外殻部と、前記第１の外殻構成体内に固定されたブッシング側端子導体と、前記第２の外殻構成体内に固定されたケーブル側端子導体と、前記外殻部の内部に形成されたヒューズ収納空間に配置されて一端及び他端がそれぞれ前記ブッシング側端子導体及びケーブル側端子導体に電気的に接続された限流ヒューズとを有して、前記第２の外殻構成体の他端側から該第２の外殻構成体内に導入されたケーブルの芯線が前記ケーブル側端子導体に接続され、前記ブッシング側端子導体が前記ブッシング端子の中心導体の端子部に接続されているヒューズ内蔵ケーブルコネクタにおいて、
前記第１の外殻構成体の外周及び第２の外殻構成体の外周にそれぞれ両外殻構成体の軸線方向に並ぶ第１及び第２の鍔部が形成され、
前記第１の外殻構成体の一端側から前記第１の鍔部に当接した第１の拘束金具と、前記第２の外殻構成体の他端側から前記第２の鍔部に当接した第２の拘束金具と、両拘束金具を締結する締結手段とを有する拘束具が設けられて、該拘束具により前記第１及び第２の外殻構成体が結合状態に拘束され、
前記外殻部を間にして前記拘束具側に延びるように設けられた１対の支持棒が前記電気機器側に固定され、
前記第１の拘束金具または第２の拘束金具は、前記１対の支持棒をそれぞれ係合させる１対の支持棒係合部を有していて、該１対の支持棒係合部と前記１対の支持棒とのそれぞれの係合により前記外殻部が前記電気機器に対して支持されていることを特徴とするヒューズ内蔵ケーブルコネクタ。
【請求項３】
前記支持棒係合部は、前記第１の拘束金具または第２の拘束金具に形成された孔または切り欠きからなっている請求項２に記載のヒューズ内蔵ケーブルコネクタ。
【請求項４】
前記１対の支持棒はそれぞれの少なくとも一部にネジ部を有していて、該１対の支持棒のネジ部にそれぞれ螺合されたナットにより前記拘束具が前記電気機器に対して固定されている請求項３に記載のヒューズ内蔵ケーブルコネクタ。
【発明の詳細な説明】
【０００１】
【発明の属する技術分野】
本発明は、電気機器とケーブルとの接続部に設けるヒューズ内蔵形のケーブルコネクタに関するものである。
【０００２】
【従来の技術】
変圧器等の電気機器において、ケーブルを通して受電する場合や、ケーブルを通して出力を送出する場合には、電気機器側にブッシング端子を設けるとともに、ケーブルの端末部としてケーブルコネクタを設けて、該ケーブルコネクタと電気機器側のブッシング端子とを相互に接続することにより、ケーブルと電気機器との接続を図るようにしている。
【０００３】
上記のように、電気機器とケーブルとをケーブルコネクタを介して接続する場合に、コネクタ内に限流ヒューズを内蔵して、該ヒューズにより電気機器の短絡保護を図ることが行われている。ケーブルコネクタ内にヒューズを内蔵すれば、遮断器を省略できるため、電気機器の周辺設備の簡素化を図り、設備コストの低減を図ることができる。
【０００４】
図５は、一例として、変圧器に取り付けられた従来のヒューズ内蔵ケーブルコネクタを示したもので、同図において１´はタンク１ａ´内に変圧器本体を収納してなる変圧器、２´は軸線を水平方向に向けた状態で変圧器のタンク１ａ´の上部に取り付けられたブッシング端子である。
【０００５】
ブッシング端子２´は、タンク１´を貫通した状態で該タンクに固定された絶縁套体２ａ´と、該絶縁套体の中心部を貫通した状態で設けられた中心導体２ｂ´とからなっている。ブッシング端子の中心導体２ｂ´の一端はタンク１ａ´内で変圧器からの口出線（図示せず。）に接続されている。
【０００６】
３´は地下から立ち上げられたケーブル４の端末部を構成するケーブルコネクタである。図示のケーブルコネクタ３´は、外殻部５´と、外殻部５´内に固定されたブッシング側端子導体６´及びケーブル側端子導体金具７´と、外殻部５´内に収容された限流ヒューズ８とを備えている。
【０００７】
外殻部５´は、ブッシング端子２´に嵌合構造で結合されたブッシング結合部５０１ａ´を一端側に有する中空の第１の外殻構成体５０１´と、第１の外殻構成体５０１´と軸線を共有するように設けられて一端が第１の外殻構成体５０１´の他端に分離可能な結合構造（図示の例では嵌合構造）で結合された中空の第２の外殻構成体５０２´とからなっている。
【０００８】
ブッシング側端子導体６´は、第１の外殻構成体５０１´の一端側に配置されて、該第１の外殻構成体５０１´内に固定され、ケーブル側端子導体７´は、第２の外殻構成体５０２´の他端側に配置されて、該第２の外殻構成体５０２´内に固定されている。
【０００９】
限流ヒューズ８は、内部に可溶体を収納した絶縁套管８００と該絶縁套管の一端及び他端に固定された端子金具８０１及び８０２とを備えた公知のものである。限流ヒューズ８は、外殻部５´内に形成されたヒューズ収容空間に配置され、該限流ヒューズの一端側及び他端側の端子金具８０１及び８０２がそれぞれ、ブッシング側端子導体６´及びケーブル側端子導体７´に設けられたヒューズ取付け金具６０１´及び７０１´に接触させられている。
【００１０】
ブッシング側端子導体６´は、ブッシング結合部５０１ａ´内に一端が挿入された端子部材６０２´を備えていて、端子部材６０２´を貫通してブッシング端子の中心導体２ｂ´に設けられたネジ孔にねじ込まれたスタッドボルト９´と、該スタッドボルト９´に螺合されたナット１０´とにより、ブッシング側端子導体６´とブッシング端子の中心導体２ｂ´とが接続されている。
【００１１】
またケーブル側端子導体７´は、ケーブル４の芯線４ａを受け入れるスリーブ状のケーブル接続部７０２´を有していて、ケーブルの芯線４ａを受け入れたケーブル接続部７０２´がかしめられて、ケーブル側端子導体７´とケーブル４とが接続されている。
【００１２】
上記のケーブルコネクタ３´を変圧器１´に取り付ける際には、先ず変圧器のタンク１ａ´に取り付けたケーブルブラケット１１の先端に設けられた固定金具１２により、ケーブル４のコネクタ寄りの端部を緩く締め付けてケーブル４を仮固定する。
【００１３】
固定金具１２は、ブラケット１１の先端に固定された受け金具１２Ａと、該受け金具に対向する押え金具１２Ｂと、両金具１２Ａ，１２Ｂを互いに接近する方向に締め付けるボルト（図示せず。）とを備えたもので、押え金具１２Ｂと受け金具１２Ａとの間にケーブル４を挟み込んだ状態で締め付けるものである。
【００１４】
固定金具１２によりケーブル４を締め付けた後、ケーブルコネクタ３´の上端のブッシング結合部５０１ａ´をブッシング端子２´の絶縁套体２ａ´に嵌合させて、ブッシング側端子導体６´をブッシング端子の中心導体２ｂ´に接続する。その後、固定金具１２を本締め付けしてケーブル４をタンク１ａ´に対して固定する。
【００１５】
【発明が解決しようとする課題】
上記のケーブルコネクタ３´は、限流ヒューズ８を内蔵したことにより、通常のケーブルの端末部よりもかなり重量が大きく（例えば１０［Kg］程度に）なるのを避けられないが、従来の構成では、ケーブルコネクタ３´の重量の大部分がブッシング端子２´にかかるため、ブッシング端子にかかる負担が大きくなるという問題があった。
【００１６】
特に、ケーブルコネクタ３´をブッシング端子２´に接続した後、ケーブルブラケット１２を締め付けるまでの間は、ケーブルコネクタ３´の重量とケーブル４の重量とがブッシング端子２´にかかるため、ブッシング端子２´に無理な力が加わり、ケーブル４に引っ張り力が加わるとブッシング端子２´が破損するおそれがあった。
【００１７】
また従来のケーブルコネクタ３´を電気機器に取り付ける際には、重量が大きいケーブルコネクタを手で支えながら作業を行う必要があったため、外殻部５´内に設けられたブッシング側端子金具６´の端子部６０２´とブッシング端子２´の中心導体２ｂ´との位置合わせを行うのが容易でなく、ケーブルをブッシング端子に接続する作業に手間取るという問題があった。
【００１８】
本発明の目的は、電気機器に接続された際に、該電気機器側に設けられたブッシング端子に無理な力が加わることがないようにしたヒューズ内蔵ケーブルコネクタを提供することにある。
【００１９】
本発明の他の目的は、電気機器側に接続する作業を容易に行うことができるようにしたヒューズ内蔵ケーブルコネクタを提供することにある。
【００２０】
【課題を解決するための手段】
本発明は、電気機器にケーブルを接続するヒューズ内蔵ケーブルコネクタに係わるもので、本発明が対象とするケーブルコネクタは、電気機器に固定されたブッシング端子に嵌合構造で結合されたブッシング結合部を一端側に有する中空の第１の外殻構成体と、該第１の外殻構成体と軸線を共有するように設けられて一端が第１の外殻構成体の他端に分離可能な結合構造で結合された中空の第２の外殻構成体とからなる外殻部と、第１の外殻構成体内に固定されたブッシング側端子導体と、第２の外殻構成体内に固定されたケーブル側端子導体と、外殻部の内部に形成されたヒューズ収納空間に配置されて一端及び他端がそれぞれブッシング側端子導体及びケーブル側端子導体に電気的に接続された限流ヒューズとを備えることにより構成される。このコネクタにおいては、第２の外殻構成体の他端側から該第２の外殻構成体内に導入されたケーブルの芯線がケーブル側端子導体に接続され、ブッシング側端子導体がブッシング端子の中心導体の端子部に接続される。
【００２１】
本発明においては、上記第１の外殻構成体と第２の外殻構成体とに跨って配置されて両外殻構成体を結合状態に拘束する拘束具が設けられて、該拘束具が外殻部に対して固定される。またこの拘束具に係合して外殻部を電気機器に対して支持する支持棒が電気機器側に固定される。
【００２２】
上記のヒューズ内蔵ケーブルコネクタを電気機器に取り付ける際には、先ずケーブルコネクタの外殻部に固定された拘束具を電気機器側に固定された支持棒に係合させて、ケーブルコネクタの外殻部を支持棒に支持させる。次いで、拘束具と支持棒との係合状態を維持しつつ、ケーブルコネクタを電気機器側に移動させて、該ケーブルコネクタの外殻部のブッシング結合部をブッシング端子に嵌合させ、ブッシング側端子導体に設けられたボルト貫通孔とブッシング端子の中心導体に設けられた端子部とを整合させて、ブッシング端子の中心導体の端子部とブッシング側端子導体とをボルト及びナット等の締結手段により締結して接続する。
【００２３】
このように、本発明によれば、ケーブルコネクタの外殻部を拘束具及び支持棒を介して電気機器に対して支持した状態で、ケーブルコネクタと電気機器のブッシング端子との接続作業を行うことができるため、ケーブルコネクタを電気機器のブッシング端子に接続する作業を行う際に重量が大きいコネクタを支える必要がない。そのため、ブッシング側端子導体とブッシング端子の中心導体の端子部との位置合わせを容易にして、コネクタをブッシング端子に接続する作業を能率よく行わせることができる。
【００２４】
また上記のように構成すると、ケーブルコネクタの重量をブッシング端子と支持棒とにより分担することができるため、ブッシング端子に無理な力が加わるのを防ぐことができ、電気機器とケーブルとの接続部の強度を高めることができる。
【００２５】
上記拘束具の取付けを容易にするため、第１の外殻構成体の外周及び第２の外殻構成体の外周にそれぞれ両外殻構成体の軸線方向に並ぶ第１及び第２の鍔部を形成しておくのが好ましい。
【００２６】
この場合、拘束具は、第１の外殻構成体の一端側から第１の鍔部に当接した第１の拘束金具と、第２の外殻構成体の他端側から第２の鍔部に当接した第２の拘束金具と、両拘束金具を締結する締結手段とにより構成することができる。
【００２７】
またこの場合、外殻部を間にして拘束具側に延びる１対の支持棒を設けて、該１対の支持棒を電気機器側に固定し、該１対の支持棒をそれぞれ係合させる１対の支持棒係合部を第１の拘束金具または第２の拘束金具に設けて、１対の支持棒係合部と１対の支持棒とのそれぞれの係合により、外殻部を電気機器に対して支持する。
【００２８】
上記支持棒係合部は、第１の拘束金具または第２の拘束金具に形成された孔または切り欠きにより構成することができる。
【００２９】
本発明においてはまた、１対の支持棒のそれぞれの少なくとも一部にネジ部を設けるとともに、該１対の支持棒のネジ部にそれぞれナットを螺合させて、該ナットにより拘束具を電気機器に対して固定するのが好ましい。
【００３０】
上記のように、ケーブルコネクタの外殻部を構成する第１及び第２の外殻構成体を結合状態に拘束する拘束具を設けるとともに、該拘束具に係合して外殻部を支える支持棒にネジ部を設けて、該ネジ部にナットを螺合させることにより拘束具を電気機器に固定するようにすると、コネクタの外殻部の中間部を電気機器に対して強固に固定することができるため、コネクタが振動するのを防止して、ブッシング端子との接続部が緩んだり、破損したりするのを防ぐことができる。
【００３１】
【発明の実施の形態】
図１ないし図４は本発明に係わるヒューズ内蔵ケーブルコネクタの構成例を示したもので、図１は縦断面図、図２は正面図、図３は第１の拘束金具の断面図である。また図４（Ａ）ないし（Ｃ）はそれぞ第２の拘束金具を示した上面図、正面図及び右側面図である。
【００３２】
図１及び図２において、１は絶縁モールド部１ａ内に変圧器本体のコイルを埋設してなるモールド形の変圧器、２は変圧器のモールド部１ａの上部側面から水平方向に突出するように設けられたブッシング端子である。
【００３３】
この例のブッシング端子２の絶縁套体２ａは、モールド部１ａに一体に形成された円柱状の基部２a1と、該基部２a1の端面の中心部から水平方向に突出した截頭円錐状の先端部２a2とからなっていて、絶縁套体２ａの軸芯部を貫通した状態で中心導体２ｂが設けられている。中心導体２ｂの軸芯部には、その先端側に開口したネジ孔が形成され、該中心導体２ｂの先端部がブッシング端子２の端子部となっている。また絶縁套体２ａの基部２a1内には、中心導体２ｂを取り囲む環状のシールド２０が埋設され、該シールド２０につながるアース端子金具２１が絶縁套体の基部２a1の端面に取り付けられている。アース端子金具２１はアース線２２を通して接地電位部に接続されている。
【００３４】
ブッシング端子の中心導体２ｂは、モールド部１ａ内で変圧器の一次端子または二次端子に接続されている。
【００３５】
３は地下から立ち上げられたケーブル４の端末部を構成するケーブルコネクタで、図示のケーブルコネクタ３は、絶縁ゴムまたは樹脂の成型品からなる外殻部５と、外殻部５内に固定されたブッシング側端子導体６及びケーブル側端子導体７と、外殻部５内に収容された限流ヒューズ８とを備えている。
【００３６】
外殻部５は、ブッシング結合部５０１ａを一端側に有する中空の第１の外殻構成体５０１と、第１の外殻構成体５０１と軸線を共有するように設けられて一端寄りの部分が第１の外殻構成体５０１の他端寄りの部分に分離可能な結合構造（図示の例では嵌合構造）で結合された中空の第２の外殻構成体５０２とからなっている。
【００３７】
第１の外殻構成体５０１のブッシング結合部５０１ａは、ほぼ円柱状に形成されていて、その軸線を外殻部５の軸線と直交させた状態で設けられている。ブッシング結合部５０１ａの内側には、該結合部５０１ａの軸線方向の一端側に大径側の端部が開口した第１のテーパ孔ｈ1 と、結合部５０１ａの軸線方向の他端側に大径側の端部が開口した第２のテーパ孔ｈ2 とが、それぞれの軸線を外殻部５の中心軸線と直交する方向に向けた状態で設けられている。
【００３８】
第１のテーパ孔ｈ1 は、ブッシング端子２の先端部２a2を隙間なく嵌合させるように形成されている。また第２のテーパ孔ｈ2 には、絶縁材料により截頭円錐状に形成された栓３０が挿入されている。
【００３９】
またブッシング結合部５０１ａの他端側の外周には、第２のテーパ孔ｈ2 の開口部を閉じるキャップ３１が嵌着されている。キャップ３１には帯状のバンド３１ａが一体に形成され、該バンド３１ａの端部が外殻構成体５０１にネジ止めされている。
【００４０】
第１の外殻構成体５０１の他端寄りの部分は、その先端側に向かうに従って径が次第に小さくなる向きのテーパが付けられた雄形嵌合部５０１Ａとなっていて、該嵌合部５０１Ａの大径側の端部の外周に第１の鍔部５０１ｂが形成されている。
【００４１】
また第２の外殻構成体５０２の、一端寄りの部分の内周には、第１の外殻構成体５０１の嵌合部５０１Ａを隙間なく嵌合させるようにテーパが付けられた雌形嵌合部５０２Ａが形成されている。第２の外殻構成体５０２の先端部に第２の鍔部５０２ｂが形成され、図示のように第１の外殻構成体５０１の嵌合部５０１Ａと第２の外殻構成体５０２の嵌合部５０２Ａとを嵌合させて、両外殻構成体を結合した際に、両外殻構成体の鍔部５０１ｂ及び５０２ｂが互いに軸線方向から当接するようになっている。
【００４２】
第２の外殻構成体５０２の他端寄りの部分は、外周部にテーパが付けられたケーブル導入部５０２Ｂとなっていて、外皮がはぎ取られたケーブル４の端部４Ａがケーブル導入部５０２Ｂの内側に導入されている。
【００４３】
第１の外殻構成体５０１の嵌合部５０１Ａを除く部分の外面は、半導電性を有するゴム材料からなる被覆層５０１ｄにより被覆されている。また第２の外殻構成体５０２の外面も半導電性を有するゴム材料からなる被覆層５０２ｄにより被覆され、第１の外殻構成体５０１と第２の外殻構成体５０２とを結合した際に、両外殻構成体の被覆層５０１ｄ及び５０２ｄが鍔部５０１ｂ及び５０２ｂのところで相互に電気的に接続されるようになっている。
【００４４】
第２の外殻構成体５０２の他端側には、半導電性の被覆層５０２ｄの端部とケーブル４のシースの内側に設けられた遮蔽用金属テープとに跨って半導電性を有する材料からなるテープ３３が巻き付けられ、被覆層５０２ｄの端部とテープ３３とを覆うように絶縁テープ３４が巻き付けられている。ケーブル４の遮蔽用金属テープにアース線３７が接続され、該アース線は絶縁テープ３４とケーブル４との間から外部に導出されて接地電位部に接続される。
【００４５】
ブッシング側端子導体６は、第１の外殻構成体５０１の一端側に位置させた状態で該第１の外殻構成体の中空部内に配置されたチューリップコンタクト形のヒューズ取付け金具６０１と、ヒューズ取付け金具６０１に一端がボルト止めされ、他端がブッシング結合部５０１ａの孔ｈ1 ，ｈ2 の境界部に配置された端子部材６０２とからなっている。端子部材６０２のブッシング結合部５０１ａ内に位置する部分に孔が設けられ、この端子部材６０２の孔を通してブッシング端子２の中心導体のネジ孔に螺合されたスタッドボルト９と、該スタッドボルト９に螺合されたナット１０とにより、端子導体６とブッシング端子の中心導体２ｂとが締結されている。
【００４６】
ケーブル側端子導体７は、第２の外殻構成体５０２の他端側に位置させた状態で該第２の外殻構成体５０２の中空部内に配置されたチューリップコンタクト形のヒューズ取付け金具７０１と、該ヒューズ取付け金具７０１にボルト止めされたケーブル接続部材７０２とからなっている。ケーブル接続部材７０２に設けられたスリーブ状のケーブル接続部にケーブルの芯線４ａが挿入され、該ケーブル接続部がかしめられて、ケーブル側端子導体７とケーブル４とが接続されている。
【００４７】
限流ヒューズ８は、内部に可溶体を収納した絶縁套管８００と該絶縁套管の一端及び他端に固定された端子金具８０１及び８０２とからなっていて、外殻部５内に形成されたヒューズ収容空間に配置されている。ヒューズ８の一端側及び他端側の端子金具８０１及び８０２はそれぞれ、ブッシング側端子導体６のヒューズ取付け金具６０１及びケーブル側端子導体７のヒューズ取付け金具７０１に接触させられている。
【００４８】
第２の外殻構成体５０２の外周には、ヒューズ取付け金具７０１付近に位置させた状態で突起５０２ｃが形成され、突起５０２ｃの中心部に検電電極３５がその頭部を外部に露呈された状態で埋め込まれている。突起５０２ｃには検電電極３５を覆うキャップ３６が着脱自在に取り付けられている。
【００４９】
第１及び第２の外殻構成体５０１及び５０２を結合状態に拘束するため、ステンレス鋼板などの金属板からなる拘束具４０が設けられている。拘束具４０は、第１の外殻構成体５０１の一端側から第１の鍔部５０１ｂに当接した状態で配置された第１の拘束金具４１と、第２の外殻構成体５０２の他端側から第２の鍔部５０２ｂに当接した状態で配置された第２の拘束金具４２と、両拘束金具を締結する締結手段としてのボルト４３（図２参照）とにより構成されている。
【００５０】
更に詳細に説明すると、第１の拘束金具４１は、図３に示すように、平板状の押え板部４１ａと、該押え板部４１ａの両端から同じ側に直角に折れ曲がった１対の側板部４１ｂ，４１ｂとからなるもので、押え板部４１ａの中央部には第１の外殻構成体５０１を嵌合させる孔４１ｃが形成され、孔４１ｃの周囲には、４つのボルト挿通孔４１ｄがそれぞれ正方形の４つの頂点に位置させた状態で設けられている。側板部４１ｂ，４１ｂの高さ寸法Ｈは、第１及び第２の外殻構成体５０１及び５０２にそれぞれ形成されて互いに当接された第１及び第２の鍔部５０１ｂ及び５０２ｂの厚み寸法よりも僅かに小さく設定されている。
【００５１】
第２の拘束金具４２は、図４（Ａ）ないし（Ｃ）に示すように、平板状の台板部４２ａと、台板部４２ａの一端から直角に折れ曲がった１つの側板部４２ｂとを有するもので、台板部４２ａの中央には第２の外殻構成体５０２を嵌合させる円形の孔４２ｃが形成され、孔４２ｃの周囲には、４つのネジ孔４２ｄがそれぞれ正方形の４つの頂点に位置させた状態で設けられている。また側板部４２ｂには、１対の小判形の長孔４２ｅ，４２ｅが、外殻部５の外径よりも大きな間隔を隔てた状態で、かつそれぞれの長手方向を台板部４２ａの板面と直交させた状態で形成されている。
【００５２】
第１の拘束金具４１は、その孔４１ｃに第１の外殻構成体５０１を嵌合させて押え板部４１ａを第１の外殻構成体５０１の一端側から第１の鍔部５０２ｂに当接させた状態で配置される。また第２の拘束金具４２は、側板部４２ｂを電気機器側に向けた状態で、かつ孔４２ｃに第２の外殻構成体５０２を嵌合させて台板部４２ａを第２の外殻構成体５０２の他端側から第２の鍔部５０２ｂに当接させた状態で配置される。このように第１及び第２の拘束金具４１及び４２を配置した状態で、第１の拘束金具４１の４つのボルト挿通孔４１ｄがそれぞれ第２の拘束金具４２の４つのネジ孔４２ｄに整合するようになっている。そして、第１の拘束金具４１の各ボルト挿通孔４１ｄを貫通させたボルト４３（図２参照）が第２の拘束金具４２の各ネジ孔４２ｄに螺合され、これにより、第１の拘束金具４１と第２の拘束金具４２とが締結されて、鍔部５０１ｂ及び５０２ｂが第１及び第２の拘束金具４１及び４２の間に挟みこまれた状態で第１の外殻構成体５０１と第２の外殻構成体５０２とが結合状態に保持される。
【００５３】
上記の拘束具４０において、第２の拘束金具４２に設けられた長孔４２ｅ，４２ｅは、ケーブルコネクタ３を変圧器に取り付ける際に、変圧器側に固定された支持棒４５を係合させるために設けられている。図示の例では、変圧器のモールド部１ａの側面に台座部１ｂが設けられて、該台座部１ｂに、水平方向に沿ってケーブルコネクタ３側に平行に伸びる１対の支持棒４５，４５が固定されている。台座部１ｂは、ブッシング端子２に接続された状態にあるケーブルコネクタ３の第２の拘束金具４２に相応する位置に配置され、支持棒４５，４５は、ケーブルコネクタ３がブッシング端子２に接続された状態にあるときに、第２の拘束金具４２の長孔４２ｅ，４２ｅと嵌合して（係合して）拘束具４０を支える状態になるように、該長孔４２ｅ，４２ｅの間隔と等しい間隔をもって互いに平行に伸びるように設けられている。
【００５４】
図１及び図２に示すように、上記のケーブルコネクタ３を変圧器１に取り付ける際には、ケーブルコネクタ３に拘束具４０を取り付けた後、該コネクタ３を持ち上げて第２の拘束金具４２の長孔４２ｅ，４２ｅに変圧器１側に固定された支持棒４５，４５を嵌合させる。これにより、ケーブルコネクタ３の外殻部５を支持棒４５，４５に支持させる。
【００５５】
次いで、拘束具４０と支持棒４５，４５との係合状態を維持しつつ、ケーブルコネクタ３を変圧器１側に移動させて、該ケーブルコネクタ３の外殻部５のブッシング結合部５０１ａをブッシング端子２の先端部２a2に嵌合させ、ブッシング側端子導体６に設けられたボルト貫通孔とブッシング端子２の中心導体２ｂに設けられたネジ孔とを整合させて、ブッシング端子２の中心導体２ｂとブッシング側端子導体６とをボルト９及びナット１０からなる締結手段により締結する。その後ブッシング結合部５０１ａの孔ｈ2 内に栓３０を嵌合させ、キャップ３１を取り付けて孔ｈ2 の開口部を閉鎖する。
【００５６】
その後、変圧器１に固定されたケーブルブラケット１１の先端の固定金具１２によりケーブル４を締め付け固定してケーブルコネクタ３の取り付けを終了する。なお図１に示した固定金具１２は図５に示した従来例で用いられていたものと同様のものである。
【００５７】
上記のように、本発明によれば、ケーブルコネクタ３の外殻部５を拘束具４０及び支持棒４５，４５を介して電気機器に対して支持した状態で、ケーブルコネクタ３と電気機器のブッシング端子２との接続作業を行うことができるため、ケーブルコネクタ３を電気機器のブッシング端子２に接続する作業を行う際に重量が大きいコネクタ３を支える必要がない。そのため、ブッシング側端子導体６とブッシング端子２の中心導体２ｂの端子部との位置合わせを容易にして、コネクタをブッシング端子に接続する作業を能率よく行わせることができる。
【００５８】
また上記のようにケーブルコネクタに拘束具４０を取り付けて、変圧器側に固定した支持棒を該拘束具に係合させることによりコネクタを支える構造にすると、ケーブルコネクタの重量をブッシング端子と支持棒とにより分担することができるため、ブッシング端子に無理な力が加わるのを防ぐことができる。
【００５９】
上記の例では、第２の拘束金具４２に１対の長孔４２ｅ，４２ｅを設けて、これらの長孔に支持棒を嵌合させることにより外殻部を支持棒に支持させるようにしたが、本発明においては、支持棒を何らかの形で拘束具に係合させて、該支持棒により外殻部を支えることができるようにすればよく、必ずしも上記の例のように、支持棒を長孔に嵌合させる必要はない。例えば、長孔４２ｅ，４２ｅに代えて切り欠きを設けて、該切り欠きに支持棒を係合させるようにしてもよい。また、第２の拘束金具４２に長孔や切り欠きを設けることなく、該拘束金具４２の下面に支持棒を当接させることによりコネクタを支持棒に支持させるようにしてもよい。更に第１の拘束金具４２側に支持棒を係合させる部分を設けるようにしてもよい。
【００６０】
上記の例では、支持棒４５が第２の拘束金具４２に設けた長孔に嵌合しているだけであるが、ケーブルコネクタの取付け強度を高くするためには、支持棒４５の少なくとも一部にネジ部を設けて、ケーブルコネクタ３をブッシング端子２に接続する作業が完了した後に、該支持棒のネジ部にナットを螺合させて締め付けることにより、第２の拘束金具４２を変圧器１に対して固定するようにするのが好ましい。
【００６１】
上記の例では、モールド変圧器にケーブルコネクタを介してケーブルを接続する場合を例にとったが、タンク内に絶縁媒体とともに変圧器本体を収容する構造の変圧器にケーブルを接続する場合にも本発明を適用することができ、リアクトルなどの変圧器以外の機器にケーブルを接続する場合にも本発明を適用することができる。
【００６２】
【発明の効果】
以上のように、本発明によれば、ケーブルコネクタの外殻部を拘束具及び支持棒を介して電気機器に対して支持する構造として、ケーブルコネクタの重量をブッシング端子と支持棒とにより分担させるようにしたので、ブッシング端子に無理な力が加わるのを防いで電気機器とケーブルとの接続部の強度を高めることができ、電気機器とケーブルとの接続部の信頼性を高めることができる。
【００６３】
また本発明によれば、ケーブルコネクタの外殻部を拘束具及び支持棒を介して電気機器に対して支持した状態で、ケーブルコネクタと電気機器のブッシング端子との接続作業を行うことができるため、ブッシング側端子導体とブッシング端子の中心導体の端子部との位置合わせを容易にして、コネクタをブッシング端子に接続する作業を能率よく行わせることができる利点がある。
【図面の簡単な説明】
【図１】本発明に係わるケーブルコネクタの構成例を電気機器の要部とともに示した断面図である。
【図２】図１に示されたケーブルコネクタの正面図である。
【図３】図１のケーブルコネクタに用いる第１の拘束金具の断面図である。
【図４】（Ａ）ないし（Ｃ）はそれぞれ図１のケーブルコネクタに用いる第２の拘束金具の平面図、正面図及び右側面図である。
【図５】従来のケーブルコネクタを電気機器の要部とともに示した断面図である。
【符号の説明】
１…変圧器、２…ブッシング端子、２ｂ…中心導体、３…ケーブルコネクタ、４…ケーブル、５…外殻部、５０１…第１の外殻構成体、５０２…第２の外殻構成体、６…ブッシング側端子導体、７…ケーブル側端子導体、８…限流ヒューズ、４０…拘束具、４１…第１の拘束金具、４２…第２の拘束金具、４５…支持棒。
【図１】
0003692255.tif 000002
【図２】
0003692255.tif 000003
【図３】
0003692255.tif 000004
【図４】
0003692255.tif 000005
【図５】
0003692255.tif 000006